(57)【要約】 【課題】  カード番号で銀行口座を特定し、暗証番号で利用者特定をする磁気カードシステムに大がかりな変更をせずにバイオメトリックス認証機能を付加する方法を提供する。【解決手段】  オンライン認証を基本とする磁気カードを使ったシステムに対して、複合カード上にバイオメトリックスセンサとＩＣチップを搭載し、このＩＣチップには少なくとも暗証番号とバイオメトリックスデータを記録することにより、バイオメトリックス認証をするだけで暗証番号をホストコンピュータに自動送信できるようになる。認証機能を持つバイオメトリックスセンサを複合カードに搭載することにより、ＡＴＭ端末の改造を不要とし、ホストコンピュータシステムを変更することなくセキュリティーの高いバイオメトリックス認証サービスが提供できる。また、利用者にとっては暗証番号を入力する手間が省けるため利便性が向上し、ＡＴＭ装置の効率的な稼動が促進される。【選択図】  図１
2006092444.tif 000002
【特許請求の範囲】
【請求項１】
個人情報データ保管手段としてのホストコンピュータと、現金入出金手段としてのＡＴＭと、バイオメトリックスセンサとデーターキャリア手段としての磁気ストライプ及びＩＣチップを搭載した複合カードとを備えた入出金システムにおいて、前記ＩＣチップには暗証番号とバイオメトリックス情報が記録され、前記ＡＴＭにはホストコンピュータとの間の送受信装置、磁気ストライプ読取装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記ＡＴＭからホストコンピュータへ前記ＩＣチップに記録されている暗証番号の自動送出を行い、ホストコンピュータによる暗証番号の照会後に入出金の操作などＡＴＭの操作が可能になることを特徴とする入出金システム。
【請求項２】
個人情報データ保管手段としてのホストコンピュータと、現金入出金手段としてのＡＴＭと、バイオメトリックスセンサとデーターキャリア手段としての磁気ストライプ及びＩＣチップを搭載した複合カードとを備えた入出金システムにおいて、前記ＩＣチップには暗証番号とバイオメトリックス情報が記録され、前記ＡＴＭには暗証番号作成装置、ホストコンピュータとの間の送受信装置、暗証番号表示装置、暗証番号入力装置、磁気ストライプ読取装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記暗証番号表示装置に前記ＩＣチップに記録されている最新の暗証番号の入力案内がなされ、ホストコンピュータによる暗証番号の照会後に入出金の操作などＡＴＭの操作が可能なるようにし、また入出金の操作完了後に前記暗証番号作成装置によって暗証番号を更新するとともに更新した暗証番号を前記リーダライタによって前記ＩＣチップに書き込み、更に更新した暗証番号を前記送受信装置を介してホストコンピュータに送信することを特徴とする入出金システム。
【請求項３】
個人情報データ保管手段としてのホストコンピュータと、現金入出金手段としてのＡＴＭと、バイオメトリックスセンサとデーターキャリア手段としての磁気ストライプ及びＩＣチップを搭載した複合カードとを備えた入出金システムにおいて、前記ＩＣチップには暗証番号とバイオメトリックス情報が記録され、前記ＡＴＭには暗証番号作成装置、ホストコンピュータとの間の送受信装置、暗証番号表示装置、暗証番号入力装置、磁気ストライプ読取装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記ＡＴＭからホストコンピュータへ前記ＩＣチップに記録されている暗証番号の自動送出を行い、ホストコンピュータによる暗証番号の照会後に入出金の操作などＡＴＭの操作が可能なるようにし、また入出金の操作完了後に前記暗証番号作成装置によって暗証番号を更新するとともに更新した暗証番号を前記リーダライタによって前記ＩＣチップに書き込み、更に更新した暗証番号を前記送受信装置を介してホストコンピュータに送信することを特徴とする入出金システム。
【請求項４】
個人情報データ保管手段としてのホストコンピュータと、現金入出金手段としてのＡＴＭと、バイオメトリックスセンサとデーターキャリア手段としてのＩＣチップと搭載した複合カードとを備えた入出金システムにおいて、前記ＩＣチップにはカード番号と暗証番号とバイオメトリックス情報が記録され、前記ＡＴＭにはホストコンピュータとの間の送受信装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記ＡＴＭからホストコンピュータへ前記ＩＣチップに記録されているカード番号と暗証番号の自動送出を行い、ホストコンピュータによる暗証番号の照会後に入出金の操作などＡＴＭの操作が可能になることを特徴とする入出金システム。
【請求項５】
個人情報データ保管手段としてのホストコンピュータと、現金入出金手段としてのＡＴＭと、バイオメトリックスセンサとデーターキャリア手段としてのＩＣチップを搭載した複合カードとを備えた入出金システムにおいて、前記ＩＣチップにはカード番号と暗証番号とバイオメトリックス情報が記録され、前記ＡＴＭには暗証番号作成装置、ホストコンピュータとの間の送受信装置、暗証番号表示装置、暗証番号入力装置およびＩＣチップのリーダライタが備えられ、
前記バイオメトリックスセンサによって検出したバイオメトリックスデータと前記ＩＣチップに事前登録されているバイオメトリックスデータとの照合を行い、これらデータが一致した場合に、前記暗証番号表示装置に前記ＩＣチップに記録されている最新の暗証番号の入力案内がなされ、入力された暗証番号とカード番号を前記送受信装置からホストコンピュータに送出して暗証番号の照会を行い、ホストコンピュータによる暗証番号の照会後に入出金の操作などＡＴＭの操作が可能なるようにし、また入出金の操作完了後に前記暗証番号作成装置によって暗証番号を更新するとともに更新した暗証番号を前記リーダライタによって前記ＩＣチップに書き込み、更に更新した暗証番号を前記送受信装置を介してホストコンピュータに送信することを特徴とする入出金システム。
【請求項６】
個人情報データ保管手段としてのホストコンピュータと、現金入出金手段としてのＡＴＭと、バイオメトリックスセンサとデーターキャリア手段としてのＩＣチップを搭載した複合カードとを備えた入出金システムにおいて、前記ＩＣチップにはカード番号と暗証番号とバイオメトリックス情報が記録され、前記ＡＴＭには暗証番号作成装置、ホストコンピュータとの間の送受信装置、暗証番号表示装置、暗証番号入力装置およびＩＣチップのリーダライタが備えられ、
前記バイオメトリックスセンサによって検出したバイオメトリックスデータと前記ＩＣチップに事前登録されているバイオメトリックスデータとの照合を行い、これらデータが一致した場合に、前記ＡＴＭからホストコンピュータへ前記ＩＣチップに記録されているカード番号と暗証番号の自動送出を行い、ホストコンピュータによる暗証番号の照会後に入出金の操作などＡＴＭの操作が可能なるようにし、また入出金の操作完了後に前記暗証番号作成装置によって暗証番号を更新するとともに更新した暗証番号を前記リーダライタによって前記ＩＣチップに書き込み、更に更新した暗証番号を前記送受信装置を介してホストコンピュータに送信することを特徴とする入出金システム。
【請求項７】
請求項１乃至６に記載の入出金システムにおいて、前記暗証番号には数字以外にアルファベットやカタカナ及び特殊文字も含むことを特徴とする入出金システム。
【請求項８】
請求項１乃至７のいずれかに記載された入出金システムにおいて、前記ＩＣチップは非接触ＩＣチップであることを特徴とする入出金システム。
【請求項９】
請求項１乃至８のいずれかに記載された入出金システムにおいて、前記バイオメトリックス認証に指紋、網膜、虹彩（アイリス）、顔貌、血管形状、掌形、耳介、声紋、署名、打鍵、遺伝子情報ＤＮＡのうちいずれかを単独認証あるいは複数組み合わせのマルチモーダル認証することを特徴とする入出金システム。
【請求項１０】
請求項１乃至９のいずれかに記載された入出金システムにおいて、ひとつのＩＣチップに複数人数分のバイオメトリックス認証データを登録しておくことを特徴とする入出金システム。
【発明の詳細な説明】
【技術分野】
【０００１】
本発明は、バイオメトリックス認証を使った磁気および／あるいはＩＣカードシステムにおける入出金システムに関する。ここで、本発明でいう入出金には残高照会、送金などのＡＴＭによって行い得る操作を含む。
【背景技術】
【０００２】
銀行カードが使われるようになった初期段階では、磁気ストライプに暗証番号も記録していた時期があった。だが、これでは簡単に暗証番号も盗まれてしまうので、現在では磁気ストライプにはカード番号のみを記録し、暗証番号は入出金の都度、使用者が手作業で入力している。
【０００３】
しかし、それでも磁気カードは複製が容易で偽造カードは数多く流通していて、かつ暗証番号も誕生日や電話番号などを使って安易に設定している例が多いため、なりすましなどの犯罪が跡を絶たない。金融機関などは暗証番号を頻繁に変更するように呼びかけてはいるが、いちいち新しい番号を覚えていることが面倒なので実際に変更している利用者は少なく、なりすまし犯罪はますます増加の傾向にある。
【０００４】
また、セキュリティーを高めるため、既存の磁気カードを使い、声紋聞き取り機構を使うことにより、利用者本人の声紋データと暗証番号をあらかじめホストコンピュータ（中央演算装置ＣＰＵ）に接続された記憶装置に登録しておき、利用者が声紋聞き取り機構に声を入力することにより、登録しておいた本人の声紋データと照合することで本人を確認し、ディスプレイに暗証番号を表示させる技術も提案されている。（特許文献１）
【０００５】
更に、銀行のＡＴＭのように数字４桁の簡単な暗証番号であっても指の操作を覗き見ることによって簡単に推測されないように、ユーザＩＤやパスワードを入力する際に、文字の位置を固定したキーボードを使うのではなく、キー位置を自由にレイアウトできるランダムに配置されたタッチパネル上のボタンイメージをポインティングデバイスで選択することにより入力し、ボタンイメージは一つ選択する毎にランダムに配置を変更し、具体的なイメージはサーバに保管し、ユーザＩＤやパスワードの文字列をそのままサーバに送信するのではなく、マウスの操作情報、すなわち座標だけを送信し、ネットワーク経由で第３者に漏れても影響が無いようにする技術も開示されている。（特許文献２）
【０００６】
また、指紋データをＩＣカードあるいは磁気カードに記録してＡＴＭや店舗において指紋リーダを使ってカードに記録された指紋データとホストコンピュータに記録されている指紋データを比較することにより、使われようとしているカードを正しいカードかどうか判別する技術も公開されている。（特許文献３）
【０００７】
更に、複数の指の指紋データをＩＣカードに記録して、サービスによって指紋を使い分けたり、複数の指紋を使って認証レベルを変えたり、またセンサの領域を分割してひとつのセンサから複数の分割指紋データを取り出して使う方法も開示されている。（特許文献４）
【特許文献１】特開平０５−００６４８１号公報
【特許文献２】特開２００４−１０２４６０号公報
【特許文献３】米国特許  ＵＳ２００２／０１６３４２１
【特許文献４】米国出願  ２００４０１５１３５３
【発明の開示】
【発明が解決しようとする課題】
【０００８】
従来にあっては指紋などのバイオメトリックス情報によってカードの利用者が本人であることが確認できた場合でも、ホストコンピュータは暗証番号しか受け付けないため、必ず利用者が暗証番号を自ら入力するシステムとなっている。
しかしながらこのようなシステムでは、利用者が暗証番号を忘れてしまった場合（セキュリティーを心配して暗証番号を更新した利用者が更新後の暗証番号を忘れることがよくある）、あるいは暗証番号入力を所定の回数間違えた場合（老人などが入力する場合によくある）は入力を受け付けなくなり、いちいち所管の銀行窓口に出向き、再発行の手続きを行わないと新しい暗証番号は発行してもらえないし、もし銀行の窓口業務時間外であれば翌営業日まで手続きを待たねばならず、例えばＡＴＭを使おうとしたのが金曜日の夕刻だとすると次の月曜日の朝までＡＴＭでの入出金が行えないことになり利用者にとって暗証番号を変更することは大きなリスクにもなりかねない。
【０００９】
セキュリティーを高めるために、磁気カードシステム全体を、例えばＩＣカードシステムに交換するのが最も安全ではあるが、暗証番号をいつも同じ４桁にしていたのではカードを紛失した場合に悪用されてしまう可能性が大きい。また、ＩＣカード化しようとすると、ホストコンピュータを含めたシステム全体の変更が必要となり、技術的にもまたコスト的にも極めて困難な問題が発生するのは、最近の銀行システム統合時のトラブル事例が証明している。
更に、現行システムの不具合を解消するために提案された特許文献１〜４には以下に述べる問題がある。
【００１０】
特許文献１においては、新たにシステムを導入するのではなく、既存の磁気カードシステムを生かす形で、バイオメトリックス認証（声紋認証）によって安全に暗証番号の管理を行おうとする方法が開示されている。既存の磁気カードシステムは使えるが、データはシステム側で管理する方法なのでバイオメトリックス認証をするためのデーターベースをホストコンピュータに置く必要がある。よって、ホストコンピュータ及びＡＴＭのシステムを変更する必要があるので、導入費用が高くなってしまう点とシステムを止めなければ切り換えが出来ないという問題がある。また、声紋データをＡＴＭ端末あるいはホストコンピュータに保存するとなると、個人情報が漏洩しないように適切に管理が出来ないとプライバシーに係る問題も発生する。
【００１１】
特許文献２においては、入力手段において、キーの位置を可変として、押したキーの位置データのみをホストコンピュータに送ることにより、ランダムにキー配列を変えるので覗き見されたり、ネットワークでデータが拾われていた場合でも安全ではあるが、キー配列のデータはホストコンピュータ（サーバ）に置かなくてはならないのでホストコンピュータの更新に費用がかさみ、システム変更にあたってはホストコンピュータを止める必要があるので、銀行間システム統合時と同じ程度のホストコンピュータ絡みの問題を発生するリスクがある。
【００１２】
特許文献３には、ＡＴＭで使うカード（ＩＣカード又は大容量の磁気カード）に指紋データを記録して現在の磁気ストライプをアップグレードしようとする技術が開示されている。しかし、カードには指紋データしか保存しないので、カード番号を記録してある現在の磁気カードは使えないという不都合があり、またホストコンピュータに現在の４桁の暗証番号に代わって指紋データを登録する必要があるのでホストコンピュータのデーターベース自体を新しくする必要があるので、新規にホストコンピュータを購入する必要がある。
【００１３】
特許文献４には、ＡＴＭなどの照会に使う指紋認証において、ＩＣカードなどに複数の指の指紋を記録させて、それぞれの指に異なる機能を持たせることにより複数の異なる認証が出来る技術が開示されている。また、単一の指紋においても、センサ自体を複数に分割することにより指紋データを分割できるので、認証の組み合わせを増やすことができる。しかし、この場合も照会用の指紋データをホストコンピュータで保存する必要がある。つまり、既存の磁気カードを使ったホストコンピュータは使えないで、少なくともデーターベースを新しくする必要があり、新規にホストコンピュータを購入する必要がある。
【課題を解決するための手段】
【００１４】
上記の課題を解決するために、本願の第１発明は、個人情報データ保管手段としてのホストコンピュータと、現金入出金手段としてのＡＴＭと、バイオメトリックスセンサとデーターキャリア手段としての磁気ストライプ及びＩＣチップを搭載した複合カードとを備えた入出金システムにおいて、前記ＩＣチップには暗証番号とバイオメトリックス情報が記録され、前記ＡＴＭにはホストコンピュータとの間の送受信装置、磁気ストライプ読取装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記ＡＴＭからホストコンピュータへ前記ＩＣチップに記録されている暗証番号の自動送出を行い、ホストコンピュータによる暗証番号の照会後に入出金の操作などＡＴＭの操作が可能になるようにした。
【００１５】
これにより、バイオメトリックス認証さえ受ければＡＴＭのサービスが受けられるので、従来のようにその都度暗証番号を入力する手間が省ける。利用者は短時間で用を済ませることができるのでＡＴＭの稼働率も上がる。
【００１６】
また、本願の第２発明は、個人情報データ保管手段としてのホストコンピュータと、現金入出金手段としてのＡＴＭと、バイオメトリックスセンサとデーターキャリア手段としての磁気ストライプ及びＩＣチップを搭載した複合カードとを備えた入出金システムにおいて、前記ＩＣチップには暗証番号とバイオメトリックス情報が記録され、前記ＡＴＭには暗証番号作成装置、ホストコンピュータとの間の送受信装置、暗証番号表示装置、暗証番号入力装置、磁気ストライプ読取装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記暗証番号表示装置に前記ＩＣチップに記録されている最新の暗証番号の入力案内がなされ、ホストコンピュータによる暗証番号の照会後に入出金の操作などＡＴＭの操作が可能になるようにし、また入出金の操作完了後に前記暗証番号作成装置によって暗証番号を更新するとともに更新した暗証番号を前記リーダライタによって前記ＩＣチップに書き込み、更に更新した暗証番号を前記送受信装置を介してホストコンピュータに送信するようにした。
【００１７】
これにより、暗証番号を覚えていなくても、バイオメトリックス認証さえ受ければ、画面に表示された暗証番号を入力することによりＡＴＭが使えるようになるので、老人などのＡＴＭの利用が促進される。尚、暗証番号の更新タイミングは、前記複合カードがＡＴＭ装置から排出される前であればどのタイミングで行っても良い。これにより、利用者は暗証番号を覚える必要もないし、また万が一暗証番号を表示した画面を他人に見られたとしても、ジョブ終了時に暗証番号は更新されているので古い暗証番号は使えない。
【００１８】
更に、本願の第３発明は、個人情報データ保管手段としてのホストコンピュータと、現金入出金手段としてのＡＴＭと、バイオメトリックスセンサとデーターキャリア手段としての磁気ストライプ及びＩＣチップを搭載した複合カードとを備えた入出金システムにおいて、前記ＩＣチップには暗証番号とバイオメトリックス情報が記録され、前記ＡＴＭには暗証番号作成装置、ホストコンピュータとの間の送受信装置、暗証番号表示装置、暗証番号入力装置、磁気ストライプ読取装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記ＡＴＭからホストコンピュータへ前記ＩＣチップに記録されている暗証番号の自動送出を行い、ホストコンピュータによる暗証番号の照会後に入出金の操作などＡＴＭの操作が可能なるようにし、また入出金の操作完了後に前記暗証番号作成装置によって暗証番号を更新するとともに更新した暗証番号を前記リーダライタによって前記ＩＣチップに書き込み、更に更新した暗証番号を前記送受信装置を介してホストコンピュータに送信するようにした。
【００１９】
これにより、利用者は暗証番号を覚えている必要が無く、バイオメトリックス認証さえ受ければ暗証番号は自動送信され、更に暗証番号はＡＴＭを利用する毎に更新されるので、万が一ＡＴＭ以外の端末からホストコンピュータがアタックを受ける場合でも暗証番号は固定ではないので繰り返してなりすまし被害に遭うことは無い。
【００２０】
また本願の第４発明は、個人情報データ保管手段としてのホストコンピュータと、現金入出金手段としてのＡＴＭと、バイオメトリックスセンサとデーターキャリア手段としてのＩＣチップを搭載した複合カードとを備えた入出金システムにおいて、前記ＩＣチップにはカード番号と暗証番号とバイオメトリックス情報が記録され、前記ＡＴＭにはホストコンピュータとの間の送受信装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記ＡＴＭからホストコンピュータへ前記ＩＣチップに記録されているカード番号と暗証番号の自動送出を行い、ホストコンピュータによる暗証番号の照会後に入出金の操作などＡＴＭの操作が可能になるようにした。
【００２１】
これにより、利用者はバイオメトリックス認証さえ受ければいちいち暗証番号を入力する手間が省けて利用者も短時間で用を済ませることができるし、バイオメトリックスの認証をＡＴＭ装置ではなくＩＣカード内で処理できるのでＡＴＭのハードウェアはほとんど改造せずに使える。
【００２２】
また、本願の第５発明は、個人情報データ保管手段としてのホストコンピュータと、現金入出金手段としてのＡＴＭと、バイオメトリックスセンサとデーターキャリア手段としてのＩＣチップを搭載した複合カードとを備えた入出金システムにおいて、前記ＩＣチップにはカード番号と暗証番号とバイオメトリックス情報が記録され、前記ＡＴＭには暗証番号作成装置、ホストコンピュータとの間の送受信装置、暗証番号表示装置、暗証番号入力装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記暗証番号表示装置に前記ＩＣチップに記録されている最新の暗証番号の入力案内がなされ、入力された暗証番号とカード番号を前記送受信装置からホストコンピュータに送出して暗証番号の照会を行い、ホストコンピュータによる暗証番号の照会後に入出金の操作などＡＴＭの操作が可能なるようにし、また入出金の操作完了後に前記暗証番号作成装置によって暗証番号を更新するとともに更新した暗証番号を前記リーダライタによって前記ＩＣチップに書き込み、更に更新した暗証番号を前記送受信装置を介してホストコンピュータに送信するようにした。
【００２３】
これにより、従来の磁気カード用のＡＴＭをほぼそのまま利用してバイオメトリックス認証機能を持ったＡＴＭとして使える。また、利用者は暗証番号を覚えていなくても、バイオメトリックス認証さえ受ければ、画面に表示された暗証番号を入力することによりＡＴＭが使えるようになるので、老人などのＡＴＭの利用が促進される。尚、暗証番号の更新タイミングは、前記複合カードがＡＴＭ装置から排出される前であればどのタイミングで行っても良い。これにより、利用者は暗証番号を覚える必要もないし、また万が一暗証番号を表示した画面を他人に見られたとしても、ジョブ終了時に暗証番号は更新されているので古い暗証番号は使えない。
【００２４】
更に、本願の第６発明は、個人情報データ保管手段としてのホストコンピュータと、現金入出金手段としてのＡＴＭと、バイオメトリックスセンサとデーターキャリア手段としてのＩＣチップを搭載した複合カードとを備えた入出金システムにおいて、前記ＩＣチップにはカード番号と暗証番号とバイオメトリックス情報が記録され、前記ＡＴＭには暗証番号作成装置、ホストコンピュータとの間の送受信装置、暗証番号表示装置、暗証番号入力装置およびＩＣチップのリーダライタが備えられ、前記バイオメトリックスセンサによって検出したバイオメトリックスデータと前記ＩＣチップに事前登録されているバイオメトリックスデータとの照合を行い、これらデータが一致した場合に、前記ＡＴＭからホストコンピュータへ前記ＩＣチップに記録されているカード番号と暗証番号の自動送出を行い、ホストコンピュータによる暗証番号の照会後に入出金の操作などＡＴＭの操作が可能なるようにし、また入出金の操作完了後に前記暗証番号作成装置によって暗証番号を更新するとともに更新した暗証番号を前記リーダライタによって前記ＩＣチップに書き込み、更に更新した暗証番号を前記送受信装置を介してホストコンピュータに送信するようにした。
【００２５】
これにより、従来の磁気カード用のＡＴＭをほぼそのまま利用してバイオメトリックス認証機能を持ったＡＴＭとして使える。また、利用者は暗証番号を覚えている必要が無く、バイオメトリックス認証さえ受ければ暗証番号は自動送信され、更に暗証番号はＡＴＭを利用する毎に更新されるので、万が一ＡＴＭ以外の端末からホストコンピュータがアタックを受ける場合でも暗証番号は固定ではないので繰り返してなりすまし被害に遭うことは無い。
【００２６】
更に、暗証手段として数字のみの暗証番号以外にアルファベットやカタカナ及び特殊文字も含むパスワードも使えるようにしたので、使える組み合わせ数が増えて他人によるいたずらがあった場合でもエラー率が高くなり、心理的な抑制効果も期待できる。
【００２７】
また、前記ＩＣチップには利便性や耐久性を考えて非接触ＩＣチップを使うことが可能である。これにより、複合カードが水で濡れたり雨水や汚泥でカードボディーが汚れたりするような過酷な環境でもＩＣチップ内のデータは保護されるので使い勝手が向上する。
【００２８】
更に、バイオメトリックス認証として指紋、網膜、虹彩（アイリス）、顔貌、血管形状、掌形、耳介、声紋、署名、打鍵、遺伝子情報ＤＮＡのうちいずれかを単独認証あるいは複数組み合わせたマルチモーダル認証で本人確認をするようにした。例えば、銀行カードの場合に暗証番号を再発行してもらう上で面倒な本人が必要となり印鑑などが必要になるが、安全で確実に本人認証するにはバイオメトリックス認証であれば印鑑を持ち歩く必要が無いので、バイオメトリックス認証システムの採用により銀行の窓口業務の軽減につながる。
【００２９】
また、ひとつのＩＣチップに複数人数分のバイオメトリックス認証データを登録するようにした。これにより、特に法人カードなど複数の利用者が想定される場合でも、利用者を複数設定しておくことにより登録した人ならば誰でも使えるので業務効率が良くなる。複数人数分のバイオメトリックス認証データを保存する場合は、メモリ容量が多く必要なので、何かしらのＩＣチップとバイオメトリックス認証データとのリンクが取れているのであれば、保存場所は暗号化などでデータ加工した後にＩＣチップ以外のデータ保存場所に保存しても良い。
【００３０】
また、暗証番号をＡＴＭからホストコンピュータに自動的に送信する要素或いは暗証番号を更新する要素とは別に、ＩＣチップに複数人数分のバイオメトリックス認証データを登録する構成要素のみでも十分に利用価値はある。
【発明の効果】
【００３１】
本発明の暗証番号管理システムは、オンライン認証を基本とする磁気カードを使ったシステムに対して、ホストシステムは変更することなくＡＴＭ端末の変更だけでＩＣカードを使ったバイオメトリックス認証による暗証番号の記録と読出機能を付加することにより安全性と利便性を提供するものである。
【００３２】
請求項１の発明によれば、従来の磁気カードで構築されたホストコンピュータシステムを継承しつつ、利用者はバイオメトリックスによる認証をされれば、ＡＴＭが自動で暗証番号を送信してくれるので、利用者自身が暗証番号を入力する必要がなく、入力ミスのおそれもの無く、また暗証番号を記憶したりメモしておく必要が無く且つ入力の手間も省ける。またホストコンピュータ側からみればＡＴＭから従来と同じ方法で暗証番号が送られてくるのでシステムを変更する必要もないので余計な費用が発生しない。
【００３３】
請求項２の発明によれば、従来の磁気カードで構築されたホストコンピュータシステムを継承しつつ、利用者は複合カードに搭載されたバイオメトリックスセンサによる認証によって暗証番号をＡＴＭの画面に表示することができる。この暗証番号をテンキー入力などでＡＴＭに入力することによりホストコンピュータの認証を受けることができる。暗証番号を自らが確認して入力するアクションが入るので、ヒューマンインターフェースを併用することにより、全て機械任せではないという心理的な安心感を与えることができる。
【００３４】
請求項３の発明によれば、前記請求項１の発明の効果に加えて、暗証番号を自動送信してホストコンピュータによる暗証番号照会が終わった後に、暗証番号を自動更新するので、万が一ＡＴＭ以外からのホストコンピュータへのアタックがあったとしても繰り返しのなりすましを防御できるのでセキュリティーレベルが向上する。
【００３５】
請求項４の発明によれば、カード番号をＩＣチップに保存しているので、磁気ストライプに比べてデータ保全性に優れ、カード利用者にはバイオメトリックスによる認証のみで足り暗証番号を入力する必要がないので入力ミスが防げ、暗証番号を記憶したりメモしておく必要が無く且つ入力の手間も省ける。またホストコンピュータ側からみればＡＴＭから暗証番号が送られてくるのでシステムを変更することもない。
【００３６】
請求項５の発明によれば、カード番号をＩＣチップに保存しているので、磁気ストライプに比べてデータ保全性に優れ、利用者はバイオメトリックスによる認証によって暗証番号をＡＴＭの画面に表示して、自らが暗証番号を入力して確認してからデータ送信することができるので、ヒューマンインターフェースの併用による心理的な安心感がある。
【００３７】
請求項６の発明によれば、カード番号をＩＣチップに保存しているので、磁気ストライプに比べてデータ保全性に優れ、前記請求項４の発明の効果に加えて、暗証番号を自動送信してホストコンピュータの照会が終わった後に、暗証番号を自動更新する。この自動更新機能により、もしＡＴＭ以外からのホストコンピュータへのアタックがあったとしても繰り返しのなりすましは防御できるのでセキュリティーレベルが向上する。
【００３８】
請求項７の発明によれば、数字の代わりにアルファベットあるいは特殊文字などを併用することにより、例えば４桁の暗証番号を数字だけ（１０候補）使う場合に比べて数字とアルファベットを使うと各桁に３４通りの候補ができるので全体では１３０万通り以上（１、３３６、３３６通り）の組み合わせが出来るので現状の１３０倍以上となり、現在の磁気カードシステムで４桁暗証記号を継続して使う場合でも磁気カード偽造団によるなりすましは非常に難しくなる。
【００３９】
請求項８の発明によれば、ＩＣチップを非接触ＩＣチップとすることにより、接触型チップのように外部に露出している端子が無いのでＩＣカードとしての耐久性が増し、外部からの不正アクセスに対しても強くなる。
【００４０】
請求項９の発明によれば、バイオメトリックス認証データを格納できるメモリ容量を持つＩＣチップを採用すれば、様々なバイオメトリックス認証を単独あるいは組み合わせて使うことができるので、多様なセキュリティーレベルあるいは環境的な制限の下でも対応が可能になる。
【００４１】
請求項１０の発明によれば、１枚のカードが複数の利用者で利用される場合、例えば法人カードなどの場合に、利用する複数の人間を限定して、その全員分のバイオメトリックスデータをＩＣチップに個別保存することにより、登録者のうちの誰でも単独で認証を受けることができる。もしカードにひも付けするバイオメトリックスデータが一人分しか登録できないと、カードをＡＴＭで使おうとするとその都度本人が出向いて行く必要があり、またひとつの口座に複数のカード（それぞれにひとりずつのバイオメトリックスデータを登録）を発行するとカードの管理および発行コスト負担が大変になる。しかし、複数人数分のバイオメトリックスデータを一枚の複合カードに格納すれば、複数人数が１枚のカードを安全に共用できるので業務効率が向上する。
【００４２】
更に、本発明においては、プライバシー保護の対象となるバイオメトリックスデータはホストコンピュータに保存するのではなく、利用者個人が持ち歩く複合カードのＩＣチップに保存し、しかもバイオメトリックス認証が成立しなければＩＣチップに記録された暗証番号をカード外に出すことはなく、またバイオメトリックスセンサ自体をＩＣカードと一体化しているのでバイオメトリックスデータは一切カードから出ることがないので個人情報保護の点からも安心して運用できる。更に、上記バイオメトリックスデータは利用者が持ち歩く複合カードに保存されるので、新たな顧客データーベースをホストコンピュータやＡＴＭ端末に持たせる必要が無いので保守性にも優れている。
【００４３】
また、バイオメトリックス認証はＩＣカードと一体化したバイオメトリックスセンサを使って行うのでＡＴＭ端末の多少の変更はあるものの、ホストコンピュータのオンラインシステムは変更する必要がないので、ホストコンピュータを稼動しながらＡＴＭだけ切り換えれば簡単にシステムが変更できるし、本人照会に数字だけでなくアルファベットなども使うようにすればパスワードの組み合わせが増えるのでなりすまし犯罪の抑制効果も大きい。
【発明を実施するための最良の形態】
【００４４】
本発明の実施例１については図１と図２に、実施例２については図３と図４に、実施例３については図５と図６に、実施例４については図７と図８に、実施例５については図９と図１０に、実施例６については図１１と図１２に示した。
【実施例１】
【００４５】
図１において、複合カード７にはプラスチックボディに搭載された指紋センサ１８、磁気ストライプ８とＩＣチップ９と、このＩＣチップ９に接続されたＩＣカードアンテナ１０で構成されている。前記磁気ストライプ８にはカード番号が記録されており、前記ＩＣチップ９の内部メモリには認証キーコード１１、暗証番号１２、バイオメトリックスデータ１３、及び予備メモリ領域１４を持っている。
【００４６】
利用者が複合カード７の磁気ストライプ８をＡＴＭ装置に読ませ、案内に従って指を複合カード上の指紋センサ１８にあてると、指紋データ１が読み取り装置から読み込まれ、ＩＣチップ９にあらかじめ保存してある指紋データ１３と照合される。前記バイオメトリックスセンサ１８によって本人の指紋データであることが認証される。更に、磁気ストライプ８から読み込んだカード番号とＩＣチップ９に保存されていた暗証番号１２がＡＴＭ装置４を介してホストコンピュータ５に送られる。ホストコンピュータ５では送られて来たカード番号のデーターベースを検索し、前記暗証番号１２と顧客データーベース６に保存してある暗証番号とを比較照合し、正しい暗証番号であることが認証されれば、ＡＴＭでのジョブ（入出金など）処理を実行許可する。
【００４７】
第１実施例では、ＩＣチップ９に保存されている指紋データ１３で本人認証をかけているので、本人以外の場合は暗証番号１２がホストコンピュータ５に送られることはない。よって、通常の場合において暗証番号１２を変更する必要はないが、ＩＣチップ９の物理構造的に書き換えが可能であれば、利用者の要請などによってＩＣチップ９およびホストコンピュータのデーターベース６に記憶してある暗証番号１２を変更することは可能である。また、バイオメトリックス（指紋）データ１３についても、ＩＣチップ９の物理構造的に書き換え可能であれば必要に応じて適宜アップデートすることは可能であるし、何らかのプロテクションをかけられることも考えられる。
【実施例２】
【００４８】
図３において、ＩＣチップモジュール９には、認証キーコード１１、暗証番号１２、指紋データ１３が格納されている。
【００４９】
認証キーコード１１には、階層構造認証キーコードのような非可逆的なキー生成をする改ざん困難なものを使うことが好ましい。ここで、階層構造認証キーコードとは、ＩＣチップとリーダライタ間の相互認証に使う一義的に決まる電子データのことである。マスターモジュールから派生した変更不可能な階層構造認証キーコードをマスターモジュールからＩＣチップモジュールに非可逆的にモジュール間転送で移植したものであり、前記ＩＣチップモジュールは同一階層構造認証キーコードを持つＩＣカードリーダライタのモジュールとしか交信できない仕組みになっているものを意味する。
【００５０】
利用者が複合カード７の磁気ストライプ８をＡＴＭ装置に読ませ、案内に従って指を複合カード上の指紋センサ１８にあて、指の指紋が本人のものと認証されると、ＩＣチップモジュール９に格納されている暗証番号１２がＡＴＭ表示画面２１にＩＣチップ９から読み出した暗証番号２３として表示される。
【００５１】
ＡＴＭ利用者は、画面に表示された暗証番号と同じ番号をテンキー入力ユニット１９から入力して、ＩＣチップ９の照会を受ける。前記入力された暗証番号とＩＣチップ９に保存してある暗証番号が同一番号であることが照合できたらＡＴＭ装置４からホストコンピュータ５に対して、磁気カードから読み出したカード番号と暗証番号１２を送出し、ホストコンピュータ５の照会を受け、承認されればＡＴＭ装置４は利用者のジョブ（入出金など）を受け付ける。
【００５２】
上記において、利用者が暗証番号をテンキー入力ユニット１３から入力する際に、入力済みの数字と未入力の数字の色やフォントなどを変えることにより、次にどの数字を入力したら良いのかが判別しやすい表示の工夫をすると利用者の利便性が向上する。
【００５３】
また、ＩＣチップ９から読み出した暗証番号１２については、フォントの大きさを変更して、例えば老人向けには大きなフォントを選択できるようにするとことも考えられる。この画面表示された暗証番号は、操作中に自動更新されて、所定の操作が終了してカードが送出された時点ではＩＣチップ９に書き込まれた暗証番号１２は新しい暗証番号に更新されるので、万が一操作中に暗証番号を他人に見られても次回に同じ暗証番号は使えないので安心してＡＴＭ操作が出来る。
【００５４】
更に、オンライン通信を使っている場合に、通信ネットワーク２５が傍受されていたとしても、平文で送るのではなく、アルゴリズムなどを使って暗証番号に演算処理をすることが考えられる。例えばＡＴＭから送信する際に数字のバイナリー表示した際のコードに補数をとるなどの計算処理をして送信すれば、傍受された数字はホストコンピュータ５に保存された暗証番号とは異なるので、他人はなりすましでＡＴＭ４からその暗証番号を入力しても無効となるし、ＡＴＭ自体にＩＣチップ９を搭載した複合カード７しか受け付けない仕組みにすれば、ネットワークを傍受されてもなりすましは成立しない。
【００５５】
図４は本発明の指紋認証におけるフローチャートである。利用者がＡＴＭの画面にタッチしたりすることにより、操作開始となる（開始）。
【００５６】
利用者が複合カード７の磁気ストライプ８をＡＴＭ装置に読ませると、まずＩＣチップ９がリーダライタ３と通信して、相互に認証を行う。
【００５７】
次に、ＡＴＭ装置４の案内に従って指を複合カード上の指紋センサ１８にあてると、検知された指紋データ１とＩＣチップ９に格納されている指紋データ１３とが照合される。
【００５８】
指紋データ１３によりバイオメトリックス認証を受けた後、前記ＩＣチップ９から暗証番号１２が読み出される。この暗証番号は、ＡＴＭの合成画面に表示されるか、あるいは複合カード７の表示手段があればこれでも良い。
【００５９】
ＡＴＭ利用者は、ＡＴＭ画面の暗証番号入力指示に対して、前記ＩＣチップから読んだ暗証番号の案内画面表示（あるいは複合カード表示手段）を見ながら同一画面（ホストからの暗証番号入力案内）にテンキー入力ユニット１９から暗証番号を入力する。
【００６０】
テンキー入力ユニット１９から入力された暗証番号はＡＴＭ制御ユニット２０あるいはＩＣチップ９によってＩＣチップ９に保存されている暗証番号と照合される。
【００６１】
前記暗証番号の照会が終了すると、ＡＴＭ装置４はＩＣチップから読み出したカード番号とテンキー入力ユニット１９から入力された暗証番号をホストコンピュータ５に送出してホストコンピュータ５の照会を受けて、ホストコンピュータ９に認証された後にＡＴＭにおける入出金などのジョブ処理の実行が行われる（処理の実行）。
【００６２】
ホストコンピュータ５によるジョブ処理が終了すると、ＡＴＭ端末は、下記の処理を行う。
１．新しい暗証番号を生成
２．ホストコンピュータに新しい暗証番号を登録
３．新しい暗証番号のＩＣチップ９への書き込み
【００６３】
暗証番号の更新が終了すると、ＡＴＭは操作を終了し、初期画面に戻る（終了）。
【００６４】
上記の実施例では、バイオメトリックス認証に指紋を使ったが、本発明で利用可能なバイオメトリックス認証には指紋以外にも、網膜、虹彩（アイリス）、顔貌、血管形状、掌形、耳介、声紋、署名、打鍵、遺伝子情報ＤＮＡのうちいずれかを単独認証あるいは複数組み合わせたマルチモーダル認証が考えられ、更に公開鍵認証基盤ＰＫＩや楕円関数などとの組み合わせによる認証セキュリティーの強化も考えられる。
【００６５】
また、図３においてはＩＣチップモジュールから読み出した暗証番号の表示画面とテンキー入力ユニットから入力された暗証番号（番号は非表示）を同一画面に表示しているが、同時に参照できるのであれば別々の画面でも良い。
【００６６】
更に、暗証番号入力案内の手段としては画面表示だけでなく、音声による案内でもよい。暗証番号入力に際しても、タッチパネル画面やキーボードを触った時にそのキーに割り当てられた数字などをイアホンなどで音声案内することも考えられる。その際に、押す強さが強い場合には音声とビープ音を併用するなど指圧力の違いが認識できる工夫をすれば、画面やキーボードがはっきり見えない場合でも軽く手探りしながらキー位置の認識が出来て、しかも間違いなく所望の数字が入力できるので便利である。
【実施例３】
【００６７】
図５は本発明の第３実施例を説明している。複合カード７には、プラスチックボディに搭載された指紋センサ１８と磁気ストライプ８とＩＣチップ９と、このＩＣチップ９に接続されたＩＣカードアンテナ１０で構成されている。前記磁気ストライプ８にはカード番号が記録されており、前記ＩＣチップの内部メモリには認証キーコード１１、暗証番号１２、バイオメトリックスデータ１３、及び予備メモリ領域１４を持っている。
【００６８】
利用者が複合カード７の磁気ストライプ８をＡＴＭ装置に読ませ、案内に従って指を複合カード上の指紋センサ１８にあてると、指紋データ１が指紋センサ１８から読み込まれ、ＩＣチップ９にあらかじめ保存してある指紋データ１３と照合される。ここで本人の指紋データであることが認証されると、ＩＣチップ９に保存されていた暗証番号１２がＡＴＭ装置４を介してホストコンピュータ５に送られる。ホストコンピュータ５では送られて来た暗証番号１２と顧客データーベース６に保存してある暗証番号とを比較照合し、正しい暗証番号であることが認証されれば、ＡＴＭでのジョブ（入出金など）を許可する。
【００６９】
ホストコンピュータ５の指示で、ＡＴＭ端末４によるジョブ処理が終了すると、ＡＴＭ端末４は、下記の処理を行う。
１．新しい暗証番号を生成
２．ホストコンピュータに新しい暗証番号を登録
３．新しい暗証番号のＩＣチップモジュール９への書き込み
【００７０】
暗証番号の更新が終了すると、ＡＴＭは操作を終了し、初期画面に戻る。この段階で、ＩＣチップ９に登録されている暗証番号１２は自動更新されているので、万が一ハッカーがホストコンピュータ５にアクセスしても安心である。
【００７１】
また、第３実施例の場合は、暗証番号１２は自動送信されるためＡＴＭの画面上で表示されることはないので、ＡＴＭの画面を覗かれても暗証番号が知られることは無い。
【００７２】
更に、仮にもし通信ネットワーク２５上でモニターされていたとしても、複合カード７が次に使われる時に暗証番号１２は自動更新されるので、何度もなりすましで被害が出ることは無い。
【実施例４】
【００７３】
図７において、複合カード７にはプラスチックボディに搭載された指紋センサ１８とＩＣチップ９と、このＩＣチップ９に接続されたＩＣカードアンテナ１０で構成されている。前記ＩＣチップ９にはカード番号が記録されており、前記ＩＣチップの内部メモリには認証キーコード１１、暗証番号１２、バイオメトリックスデータ１３、及びカード番号１４を持っている。
【００７４】
利用者が複合カード７をＡＴＭ装置の所定場所に所定量（例えばカード長の半分）を挿入し、案内に従って指定された指を複合カード７上のセンサ１８にあてると、指紋データ１が読み取り装置から読み込まれ、ＩＣチップ９にあらかじめ保存してある指紋データ１３と照合される。ＩＣチップ９によって本人の指紋データであることが認証されると、ＩＣチップ９に保存されていたカード番号２６と暗証番号１２がＡＴＭ装置４を介してホストコンピュータ５に送られる。ホストコンピュータ５では送られて来たカード番号２６に対応するデーターベースを検索し、ＡＴＭから送られて来た暗証番号１２と顧客データーベース６に保存してある暗証番号とを比較照合し、正しい暗証番号であることが認証されれば、ＡＴＭでのジョブ（入出金など）処理を実行許可する。
【００７５】
また、ＩＣチップ９に保存されている指紋データ１３で本人を認証しているので、本人以外の場合は暗証番号１２がホストコンピュータ５に送られることはない。よって、通常の場合において暗証番号１２を変更する必要はないが、ＩＣチップ９の物理構造的に書き換えが可能であれば、利用者の要請などによってＩＣチップ９およびホストコンピュータのデーターベース６に記憶してある暗証番号１２を変更することは可能である。また、バイオメトリックス（指紋）データ１３についても、ＩＣチップ９の物理構造的に書き換え可能であれば必要に応じて適宜アップデートすることは可能であるし、何らかのプロテクションをかけられることも考えられる。
【実施例５】
【００７６】
図９において、ＩＣチップモジュール９には、認証キーコード１１、暗証番号１２、指紋データ１３、カード番号２６が格納されている。
【００７７】
認証キーコード１１には、階層構造認証キーコードのような非可逆的なキー生成をする改ざん困難なものを使うことが好ましい。ここで、階層構造認証キーコードとは、ＩＣチップとリーダライタ間の相互認証に使う一義的に決まる電子データのことである。マスターモジュールから派生した変更不可能な階層構造認証キーコードをマスターモジュールからＩＣチップモジュールに非可逆的にモジュール間転送で移植したものであり、前記ＩＣチップモジュールは同一階層構造認証キーコードを持つＩＣカードリーダライタのモジュールとしか交信できない仕組みになっているものを意味する。
【００７８】
複合カード７がカードスロット１５に所定量（例えばカード長の半分）挿入あるいはリーダライタのアンテナ１６上に載置されると、カードスロット１５に隣接されているリーダーアンテナ１６から発射されている電波がカードアンテナ１０によって受信され、キャリア電波がＩＣチップ９内部の整流回路で整流されることによりＩＣチップ９に対して駆動電源が供給されてＩＣチップ９が動作を開始して、チップ内部の回路にイニシャルリセットがかけられ、ＩＣカードリーダライタ１７に対して応答データを送信する。その後、ＩＣチップ９とＩＣカードリーダライタ１７のモジュールとが認証キーコード１１を使って相互認証する。この相互認証が完了すると、利用者はバイオメトリックス認証を受けるために、案内された指先を指紋センサ１８の上に載せることを要求され、指の指紋が本人のものと認証されると、ＩＣチップモジュール９に格納されている暗証番号２３が読み出され、ＡＴＭ表示画面２１あるいは複合カード７の表示手段上に表示される。
【００７９】
ＡＴＭ利用者は、画面に表示された暗証番号と同じ番号をテンキー入力ユニット１９から入力して、ＡＴＭ装置４あるいはＩＣチップ９の照会を受ける。入力された暗証番号とＩＣチップモジュールに保存してあった暗証番号が同一番号であることが照合できたらＡＴＭ装置４からホストコンピュータにデータ（カード番号と暗証番号）の送信を行い、ホストコンピュータの照合を受けてからＡＴＭ装置４が利用者のジョブ（入出金など）を受け付ける。
【００８０】
上記において、利用者が暗証番号をテンキー入力ユニット１３から入力する際に、入力済みの数字と未入力の数字の色やフォントなどを変えることにより、次にどの数字を入力したら良いのかが判別しやすい表示の工夫をすると利用者の利便性が向上する。
【００８１】
また、ＩＣチップ９から読み出した暗証番号１２については、フォントの大きさを変更して、例えば老人向けには大きなフォントを選択できるようにするとことも考えられる。この画面表示された暗証番号は、操作中に自動更新されて、所定の操作が終了してカードが送出された時点ではＩＣチップ９に書き込まれた暗証番号１２は新しい暗証番号に更新されるので、万が一操作中に暗証番号を他人に見られても次回に同じ暗証番号は使えないので安心してＡＴＭ操作が出来る。
【００８２】
更に、オンライン通信を使っている場合に、通信ネットワーク２５が傍受されていたとしても、平文で送るのではなく、アルゴリズムなどを使って暗証番号に演算処理をすることが考えられる。例えばＡＴＭから送信する際に数字のバイナリー表示した際のコードに補数をとるなどの計算処理をして送信すれば、傍受された数字はホストコンピュータ５に保存された暗証番号とは異なるので、他人はなりすましでＡＴＭ４からその暗証番号を入力しても無効となるし、ＡＴＭ自体にＩＣチップ９を搭載した複合カード７しか受け付けない仕組みにすれば、ネットワークを傍受されてもなりすましは成立しない。
【００８３】
図１０は本発明の指紋認証におけるフローチャートである。利用者がＡＴＭの画面にタッチしたりすることにより、操作開始となる（開始）。
【００８４】
複合カード７がカードスロット１５に挿入され、バイオメトリックスセンサ１８がスロットから所定量（例えばカード長の半分）露出した状態でカード利用者は所定の指で前記バイオメトリックスセンサ１８を指紋検出するのに十分な圧力で押す。
【００８５】
バイオメトリックセンサ１８で読み取られた指紋データはＩＣチップのＣＰＵによってＩＣチップに保存されている指紋データと照合される。
【００８６】
指紋が照合されて正しいデータとして認定されると、ＩＣチップ９に保存されている暗証番号が読み出される（ＩＣチップから読出）。この暗証番号は、ＡＴＭの合成画面に表示される（ＩＣチップから読んだ暗証番号の案内）。あるいは、複合カードの表示手段に暗証番号を表示しても良い。
【００８７】
ＡＴＭ利用者は、前記の暗証番号入力指示２４に対して、前記ＩＣチップ９から読んだ暗証番号の案内画面表示（あるいは複合カードの表示手段）を見ながらテンキー入力ユニット１９から暗証番号を入力する。
【００８８】
テンキー入力ユニット１９から入力された暗証番号はＡＴＭ制御ユニット２０によって通信ネットワーク２５を介して、ホストコンピュータ５に送信され、顧客データーベース６に保存されている暗証番号と照合される（ホストコンピュータによる照合）。
【００８９】
前記ホストコンピュータ５による利用者が入力した暗証番号の照会が終了すると、ＡＴＭにおける入出金などのジョブ処理の実行が行われる（処理の実行）。
【００９０】
ホストコンピュータ５によるジョブ処理が終了すると、ＡＴＭ端末は、下記の処理を行う。
１．新しい暗証番号を生成
２．ホストコンピュータに新しい暗証番号を登録
３．新しい暗証番号のＩＣチップ９への書き込み
【００９１】
暗証番号の更新が終了すると、ＡＴＭは操作を終了し、初期画面に戻る（終了）。
【００９２】
また、図９においてはＩＣチップモジュールから読み出した暗証番号の表示画面とテンキー入力ユニットから入力された暗証番号（番号は非表示）を同一画面に表示しているが、同時に参照できるのであれば別々の画面でも良い。
【００９３】
更に、暗証番号入力案内の手段としては画面表示だけでなく、音声による案内でもよい。暗証番号入力に際しても、タッチパネル画面やキーボードを触った時にそのキーに割り当てられた数字などをイアホンなどで音声案内することも考えられる。その際に、押す強さが強い場合には音声とビープ音を併用するなど指圧力の違いが認識できる工夫をすれば、画面やキーボードがはっきり見えない場合でも軽く手探りしながらキー位置の認識が出来て、しかも間違いなく所望の数字が入力できるので便利である。
【実施例６】
【００９４】
図１１は本発明の第６実施例を説明している。複合カード７には、プラスチックボディに搭載された指紋センサ１８と磁気ストライプ８とＩＣチップ９及びこのＩＣチップ９に接続されたＩＣカードアンテナ１０で構成されている。前記ＩＣチップの内部メモリには認証キーコード１１、暗証番号１２、バイオメトリックスデータ１３、及びカード番号２６を持っている。
【００９５】
利用者が複合カード７をＡＴＭ装置の所定場所に所定量（例えばカード長の半分）挿入し、案内に従って指を指紋センサ１８にあてると、指紋データ１が指紋センサ１８から読み込まれ、ＩＣチップ９にあらかじめ保存してある指紋データ１３と照合される。ここで本人の指紋データであることが認証されると、ＩＣチップ９に保存されていたカード番号２６及び暗証番号１２がＡＴＭ装置４を介してホストコンピュータ５に送られる。ホストコンピュータ５では送られて来たカード番号２６に対応する暗証番号１２と顧客データーベース６に保存してある暗証番号とを比較照合し、正しい暗証番号であることが認証されれば、ＡＴＭでのジョブ（入出金など）を許可する。
【００９６】
ホストコンピュータ５の指示で、ＡＴＭ端末４によるジョブ処理が終了すると、ＡＴＭ端末４は、下記の処理を行う。
１．新しい暗証番号を生成
２．ホストコンピュータに新しい暗証番号を登録
３．新しい暗証番号のＩＣチップモジュール９への書き込み
【００９７】
暗証番号の更新が終了すると、ＡＴＭは操作を終了し、初期画面に戻る。この段階で、ＩＣチップ９に登録されている暗証番号１２は自動更新されているので、万が一ハッカーがホストコンピュータ５にアクセスしても安心である。
【００９８】
また、暗証番号１２は自動送信されるためＡＴＭの画面上で表示されることはないので、ＡＴＭの画面を覗かれても暗証番号が知られることは無い。
【００９９】
更に、仮にもし通信ネットワーク２５上でモニターされていたとしても、複合カード７が次に使われる時に暗証番号１２は自動更新されるので、何度もなりすましで被害が出ることは無い。
【０１００】
上記の実施例では、バイオメトリックス認証に指紋を使ったが、本発明で利用可能なバイオメトリックス認証には指紋以外にも、網膜、虹彩（アイリス）、顔貌、血管形状、掌形、耳介、声紋、署名、打鍵、遺伝子情報ＤＮＡのうちいずれかを単独認証あるいは複数組み合わせたマルチモーダル認証が考えられ、更に公開鍵認証基盤ＰＫＩや楕円関数などとの組み合わせによる認証セキュリティーの強化も考えられる。
【０１０１】
前記ＩＣチップに書き込むカード番号、バイオメトリックスデータ、暗証番号などは平文ではなく、暗号化、例えば公開鍵暗号アルゴリズムとして素因数分解問題を根拠にしたＲＳＡ暗号や離散対数問題を根拠にしたＤＳＡ／ＥＣＤＳＡ暗号などを利用しても良いし、更に電子署名を使う公開鍵認証基盤ＰＫＩを利用することも考えられる。
【０１０２】
また、暗証番号の照会直後に暗証番号の更新をするなど更新するまでに他からのアクセスや改ざんに対するセキュリティー対策がとれる場合は、利用者の利便性を改善する目的で、暗証番号入力画面において打鍵或いは文字選択により入力した暗証番号を画面や音声で案内することも考えられる。特に音声案内の場合、１文字が入力される毎に１文字単位で案内する機能と、入力し終わって送信する前に全桁を案内する機能が両方備わり、かつ入力者の要求で繰り返し案内することが好ましい。こうすることにより、目の不自由な人でも自分の入力した文字が正しいかどうかを１文字ずつ確認しながら入力できるので便利である。
【０１０３】
更に、ＡＴＭ以外の例えばＰＣなどからインターネットを介してホストコンピュータにアクセスする場合には、ＩＣチップのリーダライタをＰＣに接続して複合カードに記録されている暗証番号を使うことも可能であるが、複合カードにアクセスできない環境であっても、例えば携帯電話番号や固定電話番号（発信者番号表示機能）や電子証明書などの信頼できる外部認証と併用して使える暗証番号をあらかじめホストコンピュータに登録しておけば複合カードの暗証番号を使わなくともＡＴＭ以外、例えば携帯電話やインターネットなどからのアクセスが可能となる。
【０１０４】
尚、携帯電話にバイオメトリックスセンサとデーターキャリア手段としてのＩＣチップを搭載し、ＩＣチップにカード番号と暗証番号とバイオメトリックス情報を記録させた構成とし、携帯電話をＡＴＭの所定箇所にセットした際に、携帯電話で使用する通話手段以外の通信手段を使用して、携帯電話自体が銀行カードとしても機能するようにしてもよい。
【０１０５】
更に、暗証番号の更新履歴をＩＣチップに残しておくことが考えられる。ＡＴＭ端末とホストコンピュータの通信時に何らかの通信障害が発生して暗証番号の更新が完全に行われなくて古い暗証番号が残っていた場合でも、過去の履歴からホストコンピュータの照会を受けることができる。
【０１０６】
また、ホストコンピュータに保存する暗証番号のバイナリーコードをビット単位で管理することにより、大きなシステム変更なしにセキュリティーを改善することも考えられる。例えば４桁の暗証番号データを使うホストコンピュータの場合、各暗証番号には４バイト分のメモリースペースが割り当てられているが、これを４文字を表現する４バイトというかたまりではなく、１バイトを８ビットに分解して、４バイトは８ビットの４倍、つまり３２ビットのデータとして考えることが出来る。３２ビットで４バイト分のパスワードを表現すると理論的には４２億９４９６万７２９６通りの組み合わせが可能となり、現在の４桁暗証番号（１万通り）の４２万倍以上の組み合わせが可能となる。この３２ビットバイナリーコードはそのまま前記ＩＣチップに２進値データとして記録できる。この場合、３２ビットのデータをキーボードなどから手作業で入力するのは大変なので、例えば暗証番号案内を画面で行う場合には、ＡＴＭ端末の画面制御装置に一般的にワープロなどで使うコピー＆ペースト機能を設けてＩＣチップから読み出した暗証番号データを一括コピーしてホストコンピュータへの入力画面にペーストしてパスワード入力を自動化することが考えらえる。また、ＩＣチップから読み出したパスワードデータを直接ホストコンピュータに送信することも考えらえる。
【０１０７】
複数人数分の指紋をひとつのＩＣチップに保存し運用する場合の個人特定方法としては、指紋データとペアで利用者番号を保存して利用時に例えばカード上にスイッチを設けて選択することも考えられるし、指紋データとペアで利用者番号や名前など個人を特定できるデータを保存して利用時にＡＴＭのテンキーなどの入力手段から選択する方法も考えられるし、あるいは指紋以外のバイオメトリックス認証（網膜、虹彩（アイリス）、顔貌、血管形状、掌形、耳介、声紋、署名、打鍵、遺伝子情報ＤＮＡのうちいずれかの単独認証あるいは複数組み合わせたマルチモーダル認証）による個人特定認定を受けてもよい。
【０１０８】
磁気ストライプを使わずにＩＣチップにカード番号、暗証番号、バイオメトリックスデータを格納する場合には、まずＩＣチップからカード番号を読み出し、ＡＴＭの送受信装置からホストコンピュータに送出し、ＡＴＭがホストコンピュータからの暗証番号の照会コマンドを受けてからＩＣチップでバイオメトリックス認証をしてから暗証番号を送信しても良いし、ホストコンピュータの負荷を増やさないように最初にオフラインの状態で、まずＩＣチップがバイオメトリックス認証をして本人確認が終わってからホストコンピューと交信してカード番号と暗証番号を同時あるいは別々に送信しても良い。
【０１０９】
本発明の実施例はオンラインを基本としていて、暗証番号もオンライン認証用の暗証番号をＩＣチップに保存しているが、もしオフラインでも使う場合には、オンライン認証用の暗証番号とは別にオフライン用の暗証番号も同一ＩＣチップに保存しておくことも考えられる。複合カードにバイオメトリックスセンサを搭載している場合は、オフラインでもバイオメトリックス認証が使えるので安全である。またもしオフラインで使う場合には、トランザクションデータをＩＣチップに保存して、後日オンラインが可能なＡＴＭなどで使う時、前記オンライン用暗証番号を使ってホストコンピュータにログインしてから前記オフラインのトランザクションデータをホストコンピュータに送信することにより、別途オフライン端末からホストコンピュータに送信されたオフラインのトランザクションデータと照合をとることが考えられる。
【０１１０】
また、指紋が読み取れない場合のバックアップ手段として、暗証番号を入力することによりＡＴＭの操作ができるようにすると良い。このとき、暗証番号はＰＩＮ番号などでＩＣカードの認証を受けてＩＣカードから読み出しても良いし、携帯電話などのセキュリティーを持った通信端末の認証機能を利用してホストコンピュータからデータを受け取ることも考えられる。
【０１１１】
複合カード７に搭載するＩＣチップ９が接触型モジュールを使う場合には、前記カード７を接触モジュール９の搭載された半分だけＩＣカードリーダライタに挿入した状態でＩＣチップ９に通電させ、残った半分の領域にバイオメトリックスセンサを配置することにより、ＩＣチップ９に通電した状態で前記バイオメトリックスセンサを動作させることが考えられる。また、複合カードに電源を内蔵させることによりＡＴＭにカードを入れる前に複合カード内で認証を受けて、電源の入った状態で複合カードをＡＴＭに入れることによりＡＴＭが使えるようにしても良い。この場合、ＩＣチップによるバイオメトリックス認証の有効時間を設定して、例えば１０秒以内にＡＴＭに複合カード７を挿入しなければ認証は無効になるような仕組みも考えられる。
【０１１２】
また、複合カード７に非接触ＩＣチップモジュールを使う場合には、例えば複合カード７を、指紋センサ１８（バイオメトリックスセンサ）を上にした状態で前記カード７をアンテナ１６の上に置き、このアンテナ１６からＩＣチップ９に給電して前記指紋センサ１８を有効にした状態で指を前記指紋センサ１８上に置くことによりバイオメトリックス認証を受けることが考えられるし、前記複合カード７が電源を内蔵する場合、あるいは前記複合カード７と一体化された指紋センサ１８を触れた状態で外部から電源を供給されれば、複合カード７を手に持った状態でＩＣチップ９によるバイオメトリックス認証が受けられ、その後にＡＴＭにカードを挿入して所定のＡＴＭサービスを受けることも考えられる。また、この場合には、複合カード７上に何らかの選択手段、例えば小さなメカニカルスイッチあるいはタッチスイッチあるいはタッチパネル液晶画面などのスイッチ手段を搭載して、複合カード上でＡＴＭの機能選択が出来るようにすることも考えらえる。
【０１１３】
更に、先の実施例では電気で駆動するＩＣチップ９を用いているが、ＩＣチップの駆動源は電気に限定するものではなく、例えば光駆動のＩＣチップを使うことも考えられる。この場合は、ＩＣカードリーダライタ１７と複合チップの通信は光を使うので、アンテナの代わりに光センサなどを使うことが考えられるし、複合カード７に電源を内蔵する場合、あるいはカードを持った状態で外部から電源が供給される場合には、カードと一体となった指紋センサ１３に触れた状態で、複合カード７からＩＣカードリーダライタ１７の受光素子に向かってＩＣカードが光を送出することにより通信が成立するので、複合カード7を手に持った状態でバイオメトリックス認証が受けられ、その後にＡＴＭ装置４に複合カード７を挿入して所定のＡＴＭサービスを受けることも考えられる。また、この場合にも、複合カード７上に何らかの選択手段、例えばタッチパネル液晶画面などのスイッチ手段を搭載して、複合カード７上でＡＴＭの機能選択が出来るようにすることも考えらえる。
【産業上の利用可能性】
【０１１４】
バイオメトリックス認証で守られた個人情報を個人で持ち歩き、前記バイオメトリックス認証を受けることにより本人確認がとれ、その後にＡＴＭにおいて暗証番号の自動送信や表示ができるので、暗証番号をよく忘れる老人などでも安心して使える。また、サービス提供者側も銀行窓口などの負担が減り余分な人員が不要となり、しかも現状のホストコンピュータはそのままで、多額の投資をすることなくシステムとしてのセキュリティーを高めることが出来るので銀行やクレジット会社の経営改善にもつながる。
【図面の簡単な説明】
【０１１５】
【図１】指紋認証を使った実施例１における入出金システム概念図
【図２】指紋認証を使った実施例１におけるフローチャート
【図３】指紋認証を使った実施例２における入出金システム図
【図４】指紋認証を使った実施例２におけるフローチャート
【図５】指紋認証を使った実施例３における入出金システム図
【図６】指紋認証を使った実施例３におけるフローチャート
【図７】指紋認証を使った実施例４における入出金システム概念図
【図８】指紋認証を使った実施例４におけるフローチャート
【図９】指紋認証を使った実施例５における入出金システム図
【図１０】指紋認証を使った実施例５におけるフローチャート
【図１１】指紋認証を使った実施例６における入出金システム図
【図１２】指紋認証を使った実施例６におけるフローチャート
【符号の説明】
【０１１６】
１…バイオメトリックス（指紋）データ
２…バイオメトリックス認証
３…バイオメトリックス認証システム
４…ＡＴＭ装置
５…ホストコンピュータ
６…顧客データーベース
７…複合カード
８…磁気ストライプ
９…ＩＣチップ
１０…ＩＣカードアンテナ
１１…ＩＣチップの認証キーコード
１２…ＩＣチップに保存された暗証番号
１３…指紋データ
１４…カード番号
１５…カードスロット
１６…リーダライタアンテナ
１７…ＩＣカードリーダライタ
１８…指紋センサ
１９…テンキー入力ユニット
２０…ＡＴＭ制御ユニット
２１…ＡＴＭ画面による統合画面表示
２２…入力済みの暗証番号部分
２３…テンキー入力ユニットから入力した暗証番号
２４…ホストコンピュータからの暗証番号入力案内
２５…通信ネットワーク
２６…カード番号
２７…カード番号データの送出
２８…暗証番号の入力要求コマンド
【図１】
2006092444.tif 000003
【図２】
2006092444.tif 000004
【図３】
2006092444.tif 000005
【図４】
2006092444.tif 000006
【図５】
2006092444.tif 000007
【図６】
2006092444.tif 000008
【図７】
2006092444.tif 000009
【図８】
2006092444.tif 000010
【図９】
2006092444.tif 000011
【図１０】
2006092444.tif 000012
【図１１】
2006092444.tif 000013
【図１２】
2006092444.tif 000014